(57)【要約】【課題】解像度の低い表示手段を有する表示装置に対しても、擬似的に解像度を高めることが可能な映像表示装置を提供する。【解決手段】映像を表示するための映像表示装置において、映像データを取得する映像データ取得手段と、取得された映像データから、同一周期で表示される複数のサブフレーム画像を表示するための画像データであって、各サブフレーム画像を表示毎に１副画素分だけ水平方向にずらして表示するためのサブフレーム画像データを生成するサブフレーム画像生成手段と、１画素がＲＧＢの各副画素の配列により構成された画面を備え、映像データ又はサブフレーム画像データに基づいて映像を表示する表示手段とを有する。【選択図】図１
2010008598.tif 000002
【特許請求の範囲】
【請求項１】
映像を表示するための映像表示装置において、
映像データを取得する映像データ取得手段と、
前記取得された映像データから生成される複数のサブフレーム画像を表示するための画像データであって、表示毎に各サブフレーム画像を所定副画素分だけ水平方向にずらして表示するためのサブフレーム画像データを生成するサブフレーム画像生成手段と、
１画素がＲＧＢの各副画素の配列により構成された画面を備え、前記映像データ又はサブフレーム画像データに基づいて映像を表示する表示手段とを有することを特徴とする映像表示装置。
【請求項２】
前記サブフレーム画像生成手段は、表示順序毎に、前記サブフレーム画像を１副画素分だけ水平方向にずらして前記サブフレーム画像を表示するための前記サブフレーム画像データを生成することを特徴とする請求項１に記載の映像表示装置。
【請求項３】
前記サブフレーム画像生成手段は、映像データを構成する１つのフレーム画像データから、３枚のサブフレーム画像データを生成することを特徴とする請求項１又は請求項２のいずれか一項に記載の映像表示装置。
【請求項４】
前記サブフレーム画像生成手段は、前記映像データにおける所定画素毎の画素列を用いて複数のサブフレーム画像データを生成することを特徴とする請求項１〜請求項３のいずれか一項に記載の映像表示装置。
【請求項５】
前記サブフレーム画像生成手段は、前記表示手段の表示タイミングを制御するためのタイミングコントローラであることを特徴とする請求項１〜請求項４のいずれか一項に記載の映像表示装置。
【請求項６】
前記サブフレーム画像生成手段は、取得された映像データに対して画像処理を施すための画質調整回路であることを特徴とする請求項１〜請求項４のいずれか一項に記載の映像表示装置。
【請求項７】
前記サブフレーム画像生成手段は、前記表示手段を制御するためのタイミングコントローラであって、
映像データを構成する１つのフレーム画像データから、同フレーム画像データにおける３画素毎の画素列を用いて３枚のサブフレーム画像データを生成するとともに、前記サブフレーム画像の表示順序毎に、前記サブフレーム画像を１副画素分だけ水平方向にずらして表示する前記サブフレーム画像データを生成することを特徴とする請求項１に記載の映像表示装置。
【発明の詳細な説明】
【技術分野】
【０００１】
本発明は、映像表示装置に関し、特に、擬似的に解像度を向上させる映像表示装置に関するものである。
【背景技術】
【０００２】
現在、市場において普及しているＬＣＤ、ＰＤＰ及び有機ＥＬ等の表示画素は図１２に示すように、Ｒ（レッド）Ｇ（グリーン）Ｂ（ブルー）の各副画素を組み合わせて１画素が構成され、この画素を横方向と縦方向に所定数だけ配列させて画面が構成されている。例えば、Full HD規格の表示パネルの場合では、横方向に１９２０画素列、縦方向に１０８０画素行の画素が配列している。
【０００３】
画面を構成する画素の数が多くなれば、それに付随して解像度を高くすることができ、画質を向上させることができる。そのため、Full HD規格を超える、８８４万画素（４０９６×２１６０万画素）を備えた映像表示装置も出現している。しかしながら、解像度（画素数）を増加させることで、表示パネル自体のコストアップや、画素を駆動するためのドライバの出力端子数の増加によるコストアップが問題となる。そのため、画面の解像度を擬似的に増加させて、解像度を増加させる技術が開示されている。
【０００４】
光反射素子を用いた画像表示システムにおいて、映像データから生成された複数のサブフレーム画像を、各サブフレーム画像の投影毎にオフセットして表示、擬似的に解像度を増加させる技術が開示されている（例えば、特許文献１参照。）。
【０００５】
また、解像度を擬似的に増加させるための技術ではないが、１フレーム周期間で複数のサブフレーム画像を表示して、階調値や画質の向上、更には電源消費量を低減させる技術が開示されている（例えば、特許文献２−５参照。）。
ここで、１フレーム周期とは、映像データを構成するフレーム画像が表示される周期である。
【特許文献１】特表２００８−５０３７７０号公報
【特許文献２】特開２００４−３２６０４４号公報
【特許文献３】特開２００７−１６３５８０号公報
【特許文献４】特開２００７−１１４４９６号公報
【特許文献５】特開２００４−１９１８３６号公報
【発明の開示】
【発明が解決しようとする課題】
【０００６】
画素数を増加させることなく、解像度を擬似的に増加させることができれば、表示装置のコスト面等において有効となる。さらに、解像度の増加に伴って、画素を構成する副画素の開口率も狭くなり輝度の低下が問題となるため、解像度を擬似的に増加させることができれば、副画素の開口率も狭くする必要がなく、輝度の低下を抑制することができる。
【０００７】
しかしながら、特許文献１に開示された技術は、スクリーン等に投影されたサブフレーム画像をオフセットさせて表示するものであり、所定の配列を伴う画素により画面を構成する表示装置に対しては、その技術は適応されにくい。
また、特許文献２−５の発明に対しては、そもそも擬似的に解像度を増加させるためのものではない。
【０００８】
本発明は、上記課題にかんがみてなされたもので、解像度の低い表示手段を有する表示装置に対しても、擬似的に解像度を高めることが可能な映像表示装置を提供する。
【課題を解決するための手段】
【０００９】
上記課題を解決するために、本発明の一局面では、映像を表示するための映像表示装置において、映像データを取得する映像データ取得手段と、前記取得された映像データから構成される複数のサブフレーム画像を表示するための画像データであって、表示毎に各サブフレーム画像を所定副画素分だけ水平方向にずらして表示するためのサブフレーム画像データを生成するサブフレーム画像生成手段と、１画素がＲＧＢの各副画素の配列により構成された画面を備え、前記映像データ又はサブフレーム画像データに基づいて映像を表示する表示手段とを有する構成としてある。
【００１０】
上記のように構成された発明では、サブフレーム画像生成手段は、映像データ取得手段が取得した映像データから、同一周期で表示される複数の画像データであって、各画像データ毎に所定副画素分だけ水平方向にずらして構成されるサブフレーム画像を表示するためのサブフレーム画像データを生成する。また、表示手段は、生成されたサブフレーム画像データに基づいてサブフレーム画像を表示する。
そのため、表示パネル上に、表示毎に１副画素分だけ水平方向にずれて表示されたサブフレーム画像が表示されるため、その表示ごとに画素の発光中心が変化する。そのため、表示パネル上で擬似的に解像度を高めることができる。従って、ドライバ回路等のコストアップを抑制させることができるとともに、解像度の増加に起因する、副画素の開口率の低下をも抑制することができる。
【００１１】
好ましくは、前記サブフレーム画像生成手段は、表示順序毎に、前記サブフレーム画像を１副画素分だけ水平方向にずらした前記サブフレーム画像を表示するためのサブフレーム画像データを生成する。
上記のように構成された発明では、サブフレーム画像の表示順序に合わせて画像の発光中心が１副画素分だけずれるため、フレーム周期間での映像の動きを補間することができ、より滑らかな動きを表現することができる。
【００１２】
好ましくは、前記サブフレーム画像生成手段は、映像データを構成する１つのフレーム画像データから、３枚のサブフレーム画像データを生成する。
【００１３】
好ましくは、前記サブフレーム画像生成手段は、前記フレーム画像データにおける所定画素毎の画素列を用いて複数のサブフレーム画像データを生成する。
上記のように構成された発明では、表示されるサブフレーム画像を異なる画素列により構成された画像データで構成するため、各サブフレーム画像により構成される映像の動きをより滑らかにすることができる。
【００１４】
好ましくは、前記サブフレーム画像生成手段は、前記表示手段を制御するためのタイミングコントローラである。
【００１５】
好ましくは、前記サブフレーム画像生成手段は、取得された映像データに対して画像処理を施すための画質調整回路である。
上記のように構成された発明では、本発明に係る処理を施すために使用されるワークエリアを画質調整回路が備えるバッファメモリにより実現することができ、コストアップを抑制することができる。
【００１６】
本発明の他の局面として、前記サブフレーム画像生成手段は、前記表示手段を制御するためのタイミングコントローラであって、映像データを構成する１つのフレーム画像データから、同フレーム画像データにおける３画素毎の画素列を用いて３枚のサブフレーム画像データを生成するとともに、前記サブフレーム画像の表示順序毎に、前記サブフレーム画像を１副画素分だけ水平方向にずらして表示する前記サブフレーム画像データを生成する。
【発明の効果】
【００１７】
以上説明したように本発明によれば、解像度の低い表示手段を有する表示装置に対しても、擬似的に解像度を高めることができる。
【発明を実施するための最良の形態】
【００１８】
以下、図を参照しつつ下記の順序に従って本発明の実施形態を説明する。なお、同一の符号を付した箇所は同一又は同等の箇所を示し、その説明は繰返さない。
１．発明の概要：
２．第１の実施形態：
３．第２の実施形態：
４．その他の実施形態：
【００１９】
１．発明の概要：
図１は、本発明に係る映像表示装置を説明するブロック図である。映像表示装置は、映像データを取得する映像データ取得手段と、取得された映像データから、サブフレーム画像データを生成するサブフレーム画像生成手段と、１画素がＲＧＢの各副画素の配列により構成された画面を備え、映像データ又はサブフレーム画像データに基づいて映像を表示する表示手段とを備えている。
映像表示装置の概略的な機能を説明する。映像データ取得手段が映像データを取得すると、サブフレーム画像生成手段は、映像データからサブフレーム画像データを生成する。そして、表示手段は、生成されたサブフレーム画像を基に映像を表示する。
【００２０】
図２は、映像データからサブフレーム画像が生成される様子を説明するためのイメージ図である。本発明に係るサブフレーム画像生成手段は、取得された映像データを構成するフレーム画像データから、サブフレーム画像データを生成する。このとき、サブフレーム画像生成手段は、フレーム周期間に表示されるサブフレーム画像を画像の表示毎に所定副画素分だけ水平方向にずらして表示されるようデータを構成する。このため、サブフレーム画像の表示順序に合わせて画像の発光中心が所定副画素分だけずれるため、フレーム周期間での映像の動きを補間することができ、より滑らかな動きを表現することができる。
【００２１】
図３は、フレーム画像とサブフレーム画像との表示期間の関係を説明するためのイメージ図である。例えば、１つのフレーム画像から３つのサブフレーム画像を生成する場合を想定する。また、サブフレーム画像をその表示順序に応じて、第１サブフレーム画像、第２サブフレーム画像、第３サブフレーム画像と命名している。今、フレーム画像を表示するフレーム周期が６０Ｈｚ（１６．６６ｍｓｅｃ）であれば、このフレーム画像から生成される３つのサブフレーム画像の表示期間は、フレーム周期を３分の１づつした２０Ｈｚ（５．５５ｍｓｅｃ）となる。そのため、サブフレーム画像は２０Ｈｚ周期で画面上に表示されることとなる。無論、各サブフレーム画像の表示周期が均等である必要はない。
【００２２】
図４は、本発明に係るサブフレーム画像を説明するためのイメージ図である。この図では、太枠で囲った内部が各サブフレーム画像の表示位置である。ここでは、サブフレーム画像間のずれを１副画素分としているが、これに限定されるものではない。図４に示すように、第１サブフレーム画像の表示開始位置を第１画素とした場合、第２サブフレーム画像の表示開始位置は、第１サブフレーム画像に比べて１副画素分だけ水平方向にずれた第１画素列のＧの副画素となる。同様に第３サブフレーム画像の表示開始位置は、第２サブフレーム画像の表示開始位置に比べて、１副画素分だけ水平方向にずれた第１画素列のＢの副画素となる。上記した、各サブフレーム画像間のズレは、同一周期ごとに繰り返し実施される。
【００２３】
図５は、各サブフレーム画像における発光中心の位置を説明するためのイメージ図である。この図では、便宜上、各サブフレーム画像を、第１画素行のみで表示している。所定周期で表示される各サブフレーム画像を表示毎に１副画素分だけずらして表示した場合、第２サブフレーム画像の表示期間で、表示手段は、各画素をその構成配列がＧＢＲとなるよう駆動する。同様に、第３サブフレーム画像の表示期間で、表示手段は、副画素の構成配列をＢＲＧとなるよう駆動する。そのため、各サブフレームを表示した場合の、表示手段における画素の発光中心は、第１サブフレーム画像を表示した場合はＧとなり、第２サブフレーム画像を表示した場合はＢとなり、第３サブフレーム画像を表示した場合はＲとなる。このことより、各サブフレーム画像の表示毎に、発光中心が１副画素分だけ水平方向にずれて表示されるため、視聴者は、映像の解像度が擬似的に増加したかのように視認することとなる。
【００２４】
２．第１の実施形態：
本実施形態では、映像表示装置としてテレビジョン受信機を基に説明を行なう。図６は、テレビジョン受信機の構成を説明するブロック図である。テレビジョン受信機１００は、チューナ部１１と、ＡＤ変換回路１２と、入力選択回路１３と、表示サイズ変換回路２１と、画質調整回路２２と、表示タイミング制御回路（タイミングコントローラ）３０と、表示部４０とを備えている。また、表示部４０は、液晶表示パネル４１と、ドライバ回路４２とを備えている。また、第１の実施形態では、映像取得手段は、チューナ部１１と、ＡＤ変換回路１２と、入力選択回路１３とで構成される。また、サブフレーム画像生成手段は、表示タイミング制御回路３０により構成される。更に、表示手段は表示部４０により構成される。
【００２５】
テレビジョン受信機１００の概略的な作用を説明する。チューナ部１１が受信したテレビジョン放送信号、又は入力端子を介してＡＤ変換回路１２に直接入力された映像信号は、ＡＤ変換回路１２によりアナログ・ディジタル変換されて、映像データとして出力される。また、入力選択回路１３は、リモコン装置等から入力されるコマンドに従って、ＡＤ変換回路１２を通じて入力された映像データ又は入力選択回路１３に直接入力された映像データのいずれかを表示サイズ変換回路２１に出力する。表示サイズ変換回路２１は、入力された映像データのサイズ等を変換する。更に、画質調整回路２２は、映像データに対して所定の画質調整を施す。そして、表示タイミング制御回路３０は、入力された映像データに基づいて、タイミング制御信号を生成し、映像データとタイミング調整信号とを表示部４０に出力する。表示部４０内では、ドライバ回路４２が入力されたタイミング制御信号に基づいて映像データをディジタル／アナログ変換し、液晶表示パネル４１の各画素を駆動させる。
【００２６】
第１の実施形態では、表示タイミング制御回路３０が本発明に係るサブフレーム画像生成手段を実現する。表示タイミング制御回路３０は、画質調整回路２２から入力された映像データに基づいて、サブフレーム画像データ、及びこのサブフレーム画像データの表示タイミングに対応したタイミング制御信号を生成する。表示タイミング制御回路３０は、生成したサブフレーム画像データとタイミング制御信号とをドライバ回路４２に出力する。
【００２７】
図７は、表示タイミング制御回路３０の内部を説明するブロック図である。表示タイミング制御回路３０は、入力された映像データを一時的に記憶する機能を備えるバッファメモリ３１と、サブレーム画像データを生成する機能を備えるサブフレーム画像生成モジュール３２と、生成されたサブフレーム画像データを、同サブフレーム画像データにより表示されるサブフレーム画像が１副画素分だけずらして表示されるよう処理する配列変換モジュール３３と、タイミング制御信号を生成する機能を備えるタイミング信号生成モジュール３４とを備えている。
【００２８】
バッファメモリ３１は、入力画像データを一時的に記憶する機能を備える。バッファメモリ３１は、ＲＡＭ（Random Access Memory）等の揮発性メモリにより構成されており、入力された映像データを一時的に記憶する。また、バッファメモリ３１は、データ出力における緩衝部として作用するとともに、サブフレーム画像生成モジュール３２、配列変換モジュール３３、及びタイミング信号生成モジュールのワークエリアとしても作用する。
【００２９】
サブフレーム画像生成モジュール３２は、映像データからサブフレーム画像データを生成する。本実施の形態に係るサブフレーム画像生成モジュール３２は、映像データを構成するフレーム画像データから、３つのサブフレーム画像データを生成する。このとき、サブフレーム画像生成モジュール３２は、フレーム画像データにおける３画素列毎の画素を組み合わせることで、３つのサブフレーム画像データを生成する。同一フレーム周期で表示されるサブフレーム画像を異なる画素列により構成された画像データで構成するため、各サブフレーム画像により構成される映像の動きをより滑らかにすることができる。なお、サブフレーム画像生成モジュール３２がフレーム周期内に生成するサブフレーム画像データの数はこれに限定されない。
【００３０】
図８は、サブフレーム画像生成モジュール３２がサブフレーム画像データを生成する方法を説明するイメージ図である。本実施形態では、サブフレーム画像生成モジュール３２は、映像データの画素配列に対して３画素列毎の画素列により、第１〜第３サブフレーム画像データを生成する。つまり、第１サブフレーム画像データは、元となるフレーム画像データにおける第１画素列、第４画素列…、第３ｎ−２画素列（ｎ：サブフレーム画像データにおける画素列の番号）により構成される。同様に、第２サブフレーム画像データは、元となるフレーム画像データにおける第２画素列、第５画素列…、第３ｎ−１画素列により構成され、第３サブフレーム画像データは、元となるフレーム画像データにおける第３画素列、第６画素列…、第３ｎ画素列により構成される。
【００３１】
配列変換モジュール３３は、サブフレーム画像を、１副画素分だけずらして表示するよう、サブフレーム画像データを処理する。サブフレーム画像を１副画素分だけずらして表示する手法の一例として、本実施形態では、配列変換モジュール３３がサブフレーム画像データを構成するＲＧＢの各色信号を、各サブフレーム画像の表示毎に遅延させる処理を行なう。
【００３２】
図９は、配列変換モジュールが処理する第１及び第２サブフレーム画像データを説明するためのイメージ図である。サブフレーム画像データは、ＲＧＢの各副画素を駆動させるためのＲＧＢの各色信号により構成され、副画素への色信号の出力は、タイミング信号の出力に同期させて出力される。具体的には、第１の画素列に供給される第１サブフレーム画像データを構成する各色信号（１）は、タイミング信号の出力に同期して第１の副画素列に供給される。
ここで、配列変換モジュール３３は、第２サブフレーム画像データを構成するＲの色信号を、１画素分だけ遅延させる。このため、第１の画素列を構成するＧ，Ｂの副画素にはＧ及びＢの色信号（１）が供給され、第２の画素列を構成するＲの副画素にはＲの色信号（１）が供給される。このことより、第１の画素列のＧ，Ｂの副画素、及び第２の画素列のＲの副画素により１画素が構成されるため、第２サブフレーム画像は、第１サブフレーム画像に対して、１副画素分だけずれて表示される。また、第３サブフレーム画像に対しては、同様の手法によりＲ，Ｇの各色信号が遅延される。
【００３３】
図１０は、本発明に係るサブフレーム画像データが生成される流れを説明するための流れ図である。以下、図１０を用いて、表示タイミング制御回路３０がサブフレーム画像データを生成する流れを説明する。画質調整回路２２から映像データが表示タイミング制御回路３０の入力端子に入力されると、入力された映像データはバッファメモリ３１に記憶される（ステップＳ１１０）。
【００３４】
サブフレーム画像生成モジュール３２は、バッファメモリ３１に記憶された映像データから、３つのサブフレーム画像データを生成する（ステップＳ１２０）。サブフレーム画像生成モジュール３２は、図８等に示す方法により、フレーム画像データから第１〜３サブフレーム画像データを生成し、バッファメモリ３１に記憶する。１つのフレーム画像データから３枚のサブフレーム画像データを生成するため、ＲＧＢの各副画素毎に画像をずらしていけばよく、擬似的な解像度の増加を簡素な手法により実行させることができる。
【００３５】
配列変換モジュール３３は、サブフレーム画像を、サブフレーム画像の表示順序に応じて１副画素分だけ水平方向にずらすよう、サブフレーム画像データを処理する（ステップＳ１３０）。第１サブフレーム画像データは、表示部４０の画素をその副画素の配列順序をＲＧＢとして駆動させるため、配列変換モジュール３３は第１サブフレーム画像データに対しては配列の変更は行なわない。また、第２サブフレーム画像データは、表示部４０の画素をその副画素の配列順序をＧＢＲとして駆動させるため、配列変換モジュール３３は、第２サブフレーム画像データに対して処理を施す。同様に、配列変換モジュール３３は、第３サブフレーム画像データに対して、副画素の配列順序ＢＲＧとして駆動させるよう、第３サブフレーム画像データに処理を施す。
【００３６】
処理されたサブフレーム画像データは、タイミング制御信号と供にドライバ回路４２に出力される（ステップＳ１４０）。タイミング信号生成モジュール３４は、処理された各サブフレーム画像データの表示タイミングに対応するようタイミング制御信号を生成する。生成されたタイミング制御信号は、サブフレーム画像データとともにドライバ回路４２に出力される。
【００３７】
その後、ドライバ回路４２は、入力されたサブフレーム画像データをディジタル／アナログ変換して表示電圧を生成し、この表示電圧をタイミング制御信号に基づいて出力して、液晶表示パネル４１の各画素を駆動させる。そのため、表示部４０には、１フレーム周期間で表示される画像毎に１副画素分だけ水平方向にずらされたサブフレーム画像が表示され、表示部４０の解像度を擬似的に向上させることができる。具体的には、表示部４０は１フレーム周期間に、３つのサブフレーム画像を、表示毎に１副画素分だけずらして表示するため、画素列の水平方向の配列が例えば６４０画素列である場合は、その水平方向の画素数が擬似的に１９２０画素列となる。
【００３８】
３．第２の実施形態：
第２の実施形態では、サブフレーム画像生成手段を表示タイミング制御回路３０に代えて画質調整回路２２により実現する。図１１は、画質調整回路の内部を示すブロック図である。画質調整回路２２は、入力された映像データに対して画像処理を施す画像処理モジュール２３と、バッファメモリ３１と、サブフレーム画像生成モジュール３２と、配列変換モジュール３３とを備えている。画質調整回路２２内に実装される、バッファメモリ３１と、サブフレーム画像生成モジュール３２と、配列変換モジュール３３の構成及び作用は、第１の実施形態と同様であるため、その説明は省略する。
【００３９】
サブフレーム画像生成手段を、画質調整回路２２により実現することにより、映像データに画像処理を施すためのバッファメモリ３１をサブフレーム画像データを生成するために流用できるため、バッファメモリ３１を新たに加える必要がなく、コストアップを抑制することができる。
【００４０】
以上説明したように、本発明では、映像データから複数のサブフレーム画像データを生成し、このサブフレーム画像データにより表示される各サブフレーム画像をその表示毎に１副画素だけずらして表示することで、擬似的に解像度を増加させることができる。また、ドライバ回路４２の各副画素への出力端を増加させる必要がないため、ドライバ回路のコストアップを抑制することができる。更に、解像度に合わせて画素のサイズを小さくする必要がないため、各副画素の開口率を下げる必要がなく、各画素の輝度を低下させることなく解像度を高めることができる。
【００４１】
４．その他の実施形態：
表示部を、液晶表示パネルを供えた構成として説明を行なったが、液晶表示パネルに替えてプラズマパネルであっても、有機ＥＬパネルであってもよい。
また、映像表示装置としては、テレビジョン受信機の他に、チューナ部を備えない表示装置であってもよい。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４３】
【図１】本発明に係る映像表示装置を説明するブロック図である。
【図２】映像データからサブフレーム画像が生成される様子を説明するためのイメージ図である。
【図３】フレーム画像とサブフレーム画像との表示期間の関係を説明するためのイメージ図である。
【図４】本発明に係るサブフレーム画像を説明するためのイメージ図である。
【図５】各サブフレーム画像における発光中心の位置を説明するためのイメージ図である。
【図６】図５は、テレビジョン受信機の構成を説明するブロック図である。
【図７】表示タイミング制御回路３０の内部を説明するブロック図である。
【図８】サブフレーム画像生成モジュール３２がサブフレーム画像データを生成する方法を説明するイメージ図である。
【図９】配列変換モジュールが処理する第１及び第２サブフレーム画像データを説明するためのイメージ図である。
【図１０】本発明に係るサブフレーム画像データが生成される流れを説明するための流れ図である。
【図１１】画質調整回路の内部を示すブロック図である。
【図１２】従来の画素及び副画素の配列を説明する模式図である。
【符号の説明】
【００４４】
１１…チューナ部、１２…ＡＤ変換回路、１３…入力選択回路、２１…表示サイズ変換回路、２２…画質調整回路、２３…画像処理モジュール、３０…表示タイミング制御回路、３１…バッファメモリ、３２…サブフレーム画像生成モジュール、３３…配列変換モジュール、３４…タイミング信号生成モジュール、４０…表示部、４１…液晶表示パネル、４２…ドライバ回路、１００…テレビジョン受信機
【図１】
2010008598.tif 000003
【図２】
2010008598.tif 000004
【図３】
2010008598.tif 000005
【図４】
2010008598.tif 000006
【図５】
2010008598.tif 000007
【図６】
2010008598.tif 000008
【図７】
2010008598.tif 000009
【図８】
2010008598.tif 000010
【図９】
2010008598.tif 000011
【図１０】
2010008598.tif 000012
【図１１】
2010008598.tif 000013
【図１２】
2010008598.tif 000014